(57)【要約】【課題】多層建築物において効率的に階段を配置して床面積の有効利用を提案する。【解決手段】多層建築物において吹抜Ｖの外周を一旋回で２階分の高さを移動する４つの螺旋状の階段１、２、３，４が備えられ、４つの階段１、２、３、４はそれぞれの螺旋の周方向に吹抜Ｖの中心軸周りに位相を９０°ずらし同一スペースに上下方向に四重に重層され配設される。４つの階段１、２、３、４は１／２階分の高さの差がある。【選択図】図１
2009263885.tif 000002
【特許請求の範囲】
【請求項１】
中央の空間と、
前記中央の空間のまわりに配設された３層以上の螺旋状の階段と、
前記３層以上の階段にそれぞれ設けられる踊り場とが備えられ、
前記３層以上の階段はそれぞれの螺旋の周方向に位相をずらし上下方向に重なり且つ所定間隔をあけて配設されていることを特徴とする多層建築物。
【請求項２】
請求項１に記載の多層建築物において
前記３層以上の階段はそれぞれ同一階の別々の出入口から使用でき、前記３層以上の階段は互いに合流しないことを特徴とする多層建築物。
【請求項３】
平面視略四角形をなす中央の空間と、
前記中央の空間のまわりに配設された４層の階段と
前記４層の階段にそれぞれ設けられる踊り場とが備えられ、
前記４層の階段はそれぞれ螺旋の周方向に所定角度ずつ位相をずらし、上下方向に重なり且つ所定間隔をあけて配設されていることを特徴とする多層建築物。
【発明の詳細な説明】
【技術分野】
【０００１】
本発明は、多層建築物に関し、避難階段の幅員に基準のある物販施設等の多層建築物に関する。
【背景技術】
【０００２】
従来、多層建築物において共用スペースを効率的に配置し床面積の有効利用を図る建築物が知られている。例えば特許文献１には２方向避難路が必要とされる多層建築物において中間に踊り場が形成された二つの折り返し階段を、共通の防火区画壁を隔てて抱き合わせに、且つ、各々の入り口が反対側にくるように配置した多層建築物が提案されている。この多層建築物では共通通路からの２方向避難路を確保できるので通路の面積を小さくすることができ、また防火区画壁の占める平面積も小さくすることができて床面積の有効利用ができる。
【０００３】
物品販売業を営む店舗施設（以下、物販施設、という）等の多層建築物に設置する避難用の階段は、建築基準法やその他条例等により設置基準が定められており、設置基準のひとつに必要階段幅員がある。物販施設等の多層建築物はその床面積と階数がある一定の規模を超えると、ある階に設ける避難用の階段の幅員の合計をその階の直上階以上の階のうち床面積が最大の階の床面積に係数をかけて算出された数値以上となるように定められている。避難用の階段の幅員の合計の値が大きな場合は、階段の幅員を広くする又は階段の設置個数を増やすことになり避難用の階段の占める床面積が大きくなりがちである。そこで階段を二重に重ねた形状のＸ階段（ダブル階段）といわれる階段を採用して階段の幅員の合計を効率的に確保している。
【特許文献１】特許第２９４３０２３号公報
【発明の開示】
【発明が解決しようとする課題】
【０００４】
しかしながら、床面積の広い物販施設等の多層建築物では、避難用の階段の幅員の要求される合計値が大きくなり、Ｘ階段を採用しても基準に足りず、階段の幅員を広くしたり階段の個数を増やす必要があった。エスカレーターやエレベーターの設置された物販施設等の多層建築物においては、通常は施設利用者のほとんどはエスカレーターやエレベーターを利用するので、階段を利用することは少ない。避難用の階段は非常時の避難設備として重要な設備であるが、通常はあまり利用されない避難用の階段が物販施設等の多層建築物の各階の売場等の面積を縮小させてしまうことになる。このように物販施設等の多層建築物において避難用の階段の幅員を効率的に確保できないので、床面積の有効利用ができないという問題があった。
【０００５】
本発明は、上述する問題点に鑑みてなされたもので、効率的に階段を配置して床面積の有効利用ができる多層建築物を提供することを目的とする。
【課題を解決するための手段】
【０００６】
上記目的を達成するため、本発明に係る多層建築物は、中央の空間と、中央の空間のまわりに配設された３層以上の螺旋状の階段と、３層以上の階段にそれぞれ設けられる踊り場とが備えられ、３層以上の階段はそれぞれの螺旋の周方向に位相をずらし上下方向に重なり且つ所定間隔をあけて配設されていることを特徴とする。
【０００７】
本発明の螺旋状の階段の螺旋とは、厳密な意味で幾何学的に螺旋状のものだけでなく螺旋状に類似の形状を含む意味に使用する。また本発明の螺旋状の階段は平面視円形だけでなく例えば平面視で三角形以上の多角形を描くように旋回して上下方向に利用者が移動できる形状を含む意味に使用する。
上述した特徴により、中央の空間の外周に階段を配置して中央の空間の周りを旋回することで階段の一旋回分で移動できる高さを設定することができるので、３層以上の階段を重ね合わせることができる。上下方向に３層以上の階段を設けることができるので階段の平面積に対して階段の幅員の合計の値の割合が大きくなり、階段の幅員を広くしたり階段の個数を増やしたりしないでよいので、床面積に対して階段が占める面積を少なくすることができる。また階段の周囲に壁を設ける場合、階段ごとに設置せずに共通とすることができる。
【０００８】
また、本発明に係る多層建築物では、３層以上の階段はそれぞれ同一階の別々の出入口から使用でき、３層以上の階段は互いに合流しないことが好ましい。
【０００９】
このような特徴により、利用者は同一階の別々の出入口から３層以上の階段を使用できて合流しないので人の流れがスムーズになり、例えば避難経路として効率的に活用することができる。
【００１０】
また本発明に係る多層建築物では平面視略四角形をなす中央の空間と、中央の空間のまわりに配設された４層の階段と４層の階段にそれぞれ設けられる踊り場とが備えられ、４層の階段はそれぞれ螺旋の周方向に所定角度ずつ位相をずらし、上下方向に重なり且つ所定間隔をあけて配設されていることを特徴とする。
【００１１】
このような特徴により、平面視略四角形をなす中央の空間の周りに配設された４層の階段はそれぞれ螺旋の周方向に所定角度ずつ位相をずらし、上下方向に重なり且つ所定間隔をあけて配設されているので、階段の平面積に対して階段の幅員の合計の値の割合が大きくなり、階段の幅員を広くしたり階段の個数を増やしたりしないでよいので、床面積に対して階段が占める面積を少なくするとすることができる。
【発明の効果】
【００１２】
本発明によれば、多層建築物に３層以上の階段を上下方向に重ねて且つ所定間隔をあけて配設することができるので階段の幅員の合計の値が大きくなり、階段の幅員割合を効率的に確保することができて、多層建築物の床面積の有効利用ができる。
【発明を実施するための最良の形態】
【００１３】
以下、本発明の実施の形態による多層建築物について、図１乃至図３に基づいて説明する。
図１は本発明の実施の形態による多層建築物に設けられる階段室の一例を示す図、図２は図１に示す階段室のＡ−Ａ線断面図、図３は図１に示す階段室に設けられた４つの階段の位置関係を示すダイヤグラム図である。
【００１４】
図１乃至図３に示すように、本実施の形態による多層建築物は、平面視正方形である吹抜Ｖと、吹抜Ｖの外周に沿って吹抜Ｖを囲み旋回しながら昇降する螺旋状の階段１と、階段１と同形の階段２と階段３と階段４と、階段１、２、３、４に設けられる踊り場５と、階段１、２、３、４の外周部にある壁６と、１階ごとに壁６に設けられる出入口７とから構成される階段室１０が設けられている。踊り場５は階段１、２、３、４にそれぞれ１／２階ごとに設けられており１階ごとに階段室１０の出入口７とつながる。階段１、２、３、４は平面視正方形状の吹抜Ｖの外周を囲んでいるので、階段１、２、３、４の外形も平面視正方形状となるので、階段１、２、３、４は吹抜Ｖを除くと平面視ロの字型となる。踊り場５と出入口７は階段１、２、３、４の平面視ロの字型の四隅に設置される。
【００１５】
図２において階段１、２、３、４は螺旋状の１旋回分を２階分の高さとし、階段１、２、３、４はそれぞれ螺旋の周方向に吹抜Ｖの中心軸周りに９０°ずつ位相をずらして、階段１は階段２の上部に、階段２は階段３の上部に、階段３は階段４の上部に、階段４は階段１の上部に１／２階ずつ高さ方向にずれて重層されて上下方向に配置されている。踊り場５もそれぞれ上下方向に重なって配置され、同一階において階段１、２、３、４のそれぞれの出入口７も吹抜Ｖの中心軸周りに９０°ずつに位相がずれることになる。階段１、２、３、４で踊り場５から隣接する次の踊り場５まで移動すると、１／２階の高さを移動することになる。また４つの階段１、２、３、４はそれぞれ１／２階分の高さの差があり平行に配置されているので、互いに合流しない構成である。
【００１６】
そして、階段１をｎ階からｎ＋１階まで移動するには、ｎ階の踊り場ａ−１から踊り場ｃ−１まで階段ｂ−１で１／２階上り、踊り場ｃ−１を９０°曲がって階段ｄ−１を上り踊り場ｅ−１まで１／２階上るとｎ＋１階へ移動できる。同様に階段２、３、４をｎ階からｎ＋１階まで移動するには、踊り場ａ−２、ａ−３、ａ−４から上り始め階段１と同様に踊り場ｅ−２、ｅ−３、ｅ−４へ移動する。また階段１をｎ階からｎ＋２階へ移動するには上述のｎ＋１階まで移動した後に踊り場ｅ−１から階段ｆ−１、踊り場ｇ−１、階段ｈ−１、を通りｎ＋２階の踊り場ｉ−１へ移動する。階段２、３、４も階段１と同様に踊り場ｉ−２、ｉ−３、ｉ−４へ移動する。階段１、２、３、４で２階分の高さを移動するには吹抜Ｖの外周を１旋回して移動することになる。
【００１７】
階段室１０を構成する４層の階段１、２、３、４は螺旋状の一旋回分で建築物の２階分の高さを昇降するので、階段室１０には２階分の高さに４つの階段１、２、３、４を１／２階の高さの間隔で上下方向に重層することができる。
【００１８】
本実施の形態による階段室１０は上述の構成を備えており、その効果について図１乃至図３に基づいて説明する。
【００１９】
階段室１０を構成する４つの階段１、２、３、４は上下方向にそれぞれ重なり合うように設けることができるので、階段室１０の平面積に対して階段の個数が４つとなり階段の幅員の合計を多くとることができる。しかも階段室１０を構成する壁は階段ごとに設置せずに共通の壁とすることができるのでコストダウンを図ることができる。
【００２０】
また階段１が吹抜Ｖの外周に配置されて吹抜Ｖの周りを旋回するので一旋回で移動できる高さを２階分とすることができ、階段１に階段１と同形の階段２、３、４を１／２階分の高さの差を持たせて螺旋の周方向に正方形の隅毎に９０°位相をずらして重ね合わせることができる。
【００２１】
また、階段室１０は同一階の４つの出入口７からそれぞれ４つの階段１、２、３、４につながり、４つの階段１、２、３、４は互いに合流しない構成なので、非常時に利用者は同一階の別々の出入口７からそれぞれ利用可能な階段を使用することができて、利用者は互いに別の階段の利用者と合流せずにスムーズに避難することができる。人の流れを分割できるので避難経路として効率的に活用することができる。
【００２２】
次に本実施形態による階段室１０を設けた多層建築物を従来のＸ階段で構成される階段室２０を設けた多層建築物と比較して図１乃至図５に基づいて説明する。図４は従来の多層建築物に設けられるＸ階段を配置した階段室の一例を示す図、図５は図４に示す階段室のＢ-Ｂ線断面図である。本実施形態による多層建築物は階段の必要幅員を効率的に確保して床面積の有効利用をすることを目的としているので、階段の有効幅員の合計の数値（ｍ）を階段室の面積（ｍ２ ）で除した値を階段の幅員有効率（ｍ／ｍ２ ）として説明する。
【００２３】
従来の多層建築物は踊り場５を備えた２つの階段１１と階段１２を１／２階の高さの差を持たせて上下方向に二重に重ねた構成であるＸ階段を配置した階段室２０を設けられている。階段室１０と階段室２０はそれぞれに設置される階段に１／２階分の高さの差があるので高さ方向の階段設置の間隔と傾斜角は同じである。階段の有効幅員率を考えた場合、本実施形態による４つの階段が重なり合う階段室１０と２つの階段が重なり合う階段室２０は、それぞれ同じ階高と階段の勾配と幅員を持つ場合、階段室１０と階段室２０の平面積が２：１の比率であれば階段の有効幅員率は同じであると考えられる。階高と階段の勾配と幅員が同じ条件であれば階段の段数も同じになるので階段室１０と階段室２０の有効幅員率に違いをもたらすものは、踊り場５の面積である。
【００２４】
階段室１０の踊り場５の幅、奥行きはともに階段の幅員とほぼ等しい値になる。階段室２０の踊り場５の幅は階段の幅員の２倍と手摺１３の厚みの和となる。階段室２０の踊り場５の奥行きの寸法は自由に設定できるが、例えばその寸法は１．２ｍから階段の幅員と同程度の寸法が適当である。階段室１０と階段室２０において階高と階段の勾配と幅員が同じ条件の場合、階段室１０の踊り場５の面積は、階段の幅員を１辺の長さとする正方形と同程度となり、階段室２０の踊り場５の面積は、幅が階段の幅員の２倍であり奥行きが階段の幅員とする長方形と同程度となり階段室１０の踊り場の面積のほうが小さくなる。階段の幅員や階段室２０の踊り場５の奥行きの寸法により階段室１０と階段室２０との踊り場５の面積の大小は変わってくるが、現実的な階段の幅員や踊り場の奥行き寸法で考えると階段室１０にある階段の踊り場５の面積のほうが小さくなる。
【００２５】
本実施の形態による多層建築物に設けられる階段室１０と従来の多層建築物に設けられる階段室２０の有効幅員率を実際の数値を用いて比較する。
階高を４．７０ｍとし、階段の蹴上げ寸法を０．１８ｍ、踏み面寸法０．２６ｍとし、段数は１階分に２６段あり、階段有効幅員を１．８２ｍとする。本実施の形態による階段室１０の踊り場５の寸法は幅、奥行き共に１．８２０ｍとし、吹抜の大きさは縦横共に３．５０ｍとし、階段室の外形の寸法は縦横共に７．５０ｍとする。階段室２０の踊り場５の奥行き寸法は１．４０ｍとし、中間に設けられる手すりの厚みは０．１８ｍとし、階段室の外形の寸法は縦６．６０ｍ、横４．４０ｍとする。
（１）本実施の形態による階段室１０おいて、階段の面積は吹抜部分を含まず、
７．５×７．５−３．５×３．５＝４４．００ｍ２
となり
階段の有効幅員の合計は
１．８２ｍ×４＝７．２８ｍ
となり
階段の有効幅員率は
７．２８÷４４．００＝０．１６５ｍ／ｍ２
となる。
（２）従来例による階段室２０において、階段の面積は
６．６０ｍ×４．４０ｍ＝２９．０４ｍ２
となり
階段の有効幅員の合計は
１．８２ｍ×２＝３．６４ｍ
となり
階段の有効幅員率は
３．６４÷２９．０４＝０．１２５ｍ／ｍ２
となる。
本実施による階段室１０は従来の階段室２０よりも階段の幅員の有効率の値が大きくなる。
【００２６】
上述したように本実施の形態によれば、多層建築物に設けられる階段室１０は吹抜Ｖの外周を一旋回で２階分の高さを移動する４つの螺旋状の階段１、２、３、４を螺旋の周方向に吹抜の中心軸まわりに９０°ずつ位相をずらし上下方向に四重に重ねて１／２階の高さの間隔をあけて配設しているので、階段室１０の平面積に対して階段の数が増え階段の幅員の合計を多くとることができる。その結果、物販施設等の多層建築物において避難用の階段の幅員の合計に基準がある場合に、階段の幅員を広くしたり階段の個数を増やすことをしなくても避難用の階段の幅員の合計を効率的に確保することができるので各階の床面積に対して避難用の階段の占める面積が小さくなり床面積を有効的に活用できるいう効果を奏する。
【００２７】
以上、本発明による多層建築物の実施の形態について説明したが、本発明は上記の実施の形態に限定されるものではなく、その趣旨を逸脱しない範囲で適宜変更可能である。
例えば吹抜Ｖの形状は平面視正方形としているが、その他の形状でも良い。例えば吹抜Ｖは平面視長方形や円形やその他の多角形となっても良い。本実施の形態では４層の階段１、２、３、４は外形が平面視正方形となるように重なっているが、その他の形状でも良い。例えば図６の本発明の実施の形態の変形例に示すように、３つの階段を三重に重ねて階段の外形を平面視三角形としても良いし、図７の本発明の実施の形態の変形例に示すように、５つの階段を五重に重ねて階段の外形を平面視五角形としても良い。例えば階段１、２、３、４は螺旋状の１旋回分を２階分の高さとしているがその他の高さとしても良く、踊り場５は１／２階ごとに設けているが、その他の形状でも良い。例えば階段１、２、３、４はそれぞれ螺旋の周方向に９０°ずつ位相をずらしているがその他の角度でもよく、階段１、２、３、４はそれぞれ１／２階分の間隔をあけて上下方向に重なっているが、その他の間隔でも良い。上述した実施の形態では螺旋階段の中央の空間は吹抜Ｖを配設しているが、パイプシャフトを配設しても良い。また、上述した実施の形態では、階段の幅員に規制のある一定の規模以上の物販施設等の多層建築物の避難用の階段室を基に説明しているが、階段の幅員に規制のない規模の物販施設等の多層建築物に設置しても良いし、物販施設以外の多層建築物に設置しても良いし、避難用以外の階段室に使用しても良いし、外周に壁を設けて階段室としなくても良く、外付の階段としても良い。
【図面の簡単な説明】
【００２８】
【図１】本発明の実施の形態による多層建築物に設けられる階段室の一例を示す図である。
【図２】図１のＡ−Ａ線断面図である。
【図３】本発明の実施の形態による階段室に設けられた４つの階段の位置関係を示すダイヤグラム図である。
【図４】従来の多層建築物に設けられるＸ階段を配置した階段室の一例を示す図である。
【図５】図４のＢ−Ｂ線断面図である。
【図６】本発明の実施の形態の変形例による多層建築物に設けられる階段室の一例を示す図である。
【図７】本発明の実施の形態の変形例による多層建築物に設けられる階段室の一例を示す図である。
【符号の説明】
【００２９】
Ｖ  吹抜
１  階段
２  階段
３  階段
４  階段
５  踊り場
６  壁
７  出入口
１０  階段室  
１１  階段  
１２  階段  
１３  手摺
２０  階段室
【図１】
2009263885.tif 000003
【図２】
2009263885.tif 000004
【図３】
2009263885.tif 000005
【図４】
2009263885.tif 000006
【図５】
2009263885.tif 000007
【図６】
2009263885.tif 000008
【図７】
2009263885.tif 000009